(57)【特許請求の範囲】
【請求項１】
ディスポーザをそなえ厨芥を処理するシンクの厨芥排出口に嵌合する保持環と、前記保持環の内側で同じ平面上に配置した小径の受け環と、保持環の外側を囲んでシンク面との間で異物を挟む間隙を形成するように保持環より上方に配置された大径の押さえ環をそなえ、前記保持環と受け環および押さえ環を同心に保持させる複数個の連結片を放射状に設け、前記連結片の上面に、両方の脚が受け環を跨いで固着されたコ字状部を有する把手をそなえたことを特徴とするディスポーザをそなえたシンクにおける異物流入防止具。
【発明の詳細な説明】
【０００１】
【発明の属する技術分野】
本発明は、ディスポーザをそなえた流し台や残飯処理台などのシンクに設けた厨芥排出口に設置し、箸やスプーンなど厨芥以外の異物がディスポーザへ流入することを防ぐ防止具に関する。
【０００２】
【従来の技術】
調理場で発生する調理くずや、食堂などで出る残飯などの厨芥を、ディスポーザに流し込むようにしたシンクに設けられた厨芥排出口には、蓋を取り付けていないため、厨芥とともに異物が流れ込みやすく、ディスポーザに障害をあたえるため、作業員が常に排出口に流れ込む厨芥を監視して、混入した異物を取り除くようにしている。また、排出口から適当な位置に切り込みを設けたゴムなどの弾性仕切り板をそなえ、排出口に入った異物が直接ディスポーザへ流れ込まないようにし、この弾性仕切り板で一時的に止められた異物を素早く取り出すようにしている。
【０００３】
【発明が解決しようとする課題】
しかし、厨芥や残飯は水とともに流されるため、排出口に流れ込む速度が早くなっており、厨芥とともに流れ込む状態で異物を見つけて排出口に流れ込まないように取り出す作業は、常に注意を必要とし、簡単に思われるけれども緊張度が大きく神経を使う難しい作業である。また、弾性仕切り板を設けていったん止めても、素早く取り出さねばならず機敏さが必要であった。なお、排出口に粗い目の網状の蓋を設ける場合は、網目より小さい米粒などの排出には支障がないが、野菜くずなど網目より大きい厨芥は排出されないので、そのつど蓋を外して厨芥を落とす手数が必要になる。
本発明は、このような異物の除去作業を容易にし、排出口からディスポーザへ流し込まないようにした防止具を提供する。
【０００４】
【課題を解決するための手段】
このため、シンクの厨芥排出口に嵌合する保持環と、前記保持環の内側で同じ平面上に配置した小径の受け環と、保持環の外側を囲んでシンク面との間に異物を挟む間隙を形成するように配置された大径の押さえ環をそなえ、これらの保持環と受け環および押さえ環を同心に保持させる複数個の連結片を放射状に設け、前記連結片の上面に、両方の脚が受け環を跨いで固着されたコ字状部を有する把手をそなえ、保持環をシンクの排出口に嵌め込み、保持環と受け環の間および受け環内側の間隙から野菜くずなどの厨芥を落下させ、受け環上に大きい厨芥が残ったときは、把手を握って防止具全体を上下に揺すって落下させるようにしている。
【０００５】
【発明の実施の形態】
シンクに設けたディスポーザにつながる排出口の内壁に嵌合する保持環は、適宜の大きさのステンレス線を環状に形成しており、この保持環の内側に小さい径で保持環と同一平面に配置した受け環をそなえ、箸のような長い異物を保持環と受け環にまたがって支えるようにし、保持環の外側に設けた大径の押さえ環はシンク面との間に間隙を形成させ、スプーンなどの異物の薄い端部がこの間隙に入ると、異物の厚い部分が押さえ環で押さえられて止まるようにしている。この保持環と押さえ環および受け環は、放射状に設けた複数個の細い連結片で連結保持させ、連結片が厨芥排出口の縁に当たって排出口の上端部に支持される。
このように構成された連結片の上面に、両方の脚が受け環を跨いで固着されたコ字状部を有する把手をそなえ、野菜くずなどの大きな厨芥が受け環上に残った場合は、把手を持って防止具全体を上下に揺すり、受け環上の厨芥を落下させるようにしている。
【０００６】
【実施例】
これを図に示す実施例について説明する。
１はシンクで、調理したときの残滓あるいは食堂の残飯などを厨芥排出口２から図示しないディスポーザに水とともに流し込むようにしている。３は厨芥排出口２の開口部の下方に設けたゴム板などの弾性仕切り板で、中央から放射状に切れ目を設けており、取付座４に支持させている。
１０は本発明の異物流入防止具で、１１は前記厨芥排出口２の内壁に嵌合される保持環で、たとえば厨芥排出口の径が１５０ｍｍの場合、径４ｍｍのステンレス線を中心径１４０ｍｍの環状に形成している。１２は前記保持環の内側に同じ平面で約４０ｍｍ程度の間隔を設けて配置させた受け環で、同様のステンレス線を径６０ｍｍに形成している。１３は保持環１１の外側に設けた押さえ環で、同様のステンレス線を径２００ｍｍの環状にし、保持環を囲んで保持環の平面より高くした位置たとえば２〜５ｍｍ程度の段差を設けて配置している。１４は前記保持環１１と受け環１２および押さえ環１３を連結保持させる連結片で、幅５ｍｍ厚さ２ｍｍのステンレス板を放射状に４個設けており、受け環１２と保持環１１の上面および押さえ環１３の下面に溶接している。１５は受け環１４の上面に取り付けた把手で、両脚を受け環の上面に固着させたコ字状部１５ａをそなえている。１５ｂはコ字状部１５ａの上部に取り付けて握り易くした垂直部である。
【０００７】
なお、上記した寸法は基準になる例を示すもので、この数値に限定されるものではなく、図においても簡単にするため線径などを誇大にしており前記寸法に合致させていない。
したがって厨芥排出口２の径により保持環の大きさが変われば、保持環もこれに合わせて変更され、他の部分も当然変更される。また、厨芥の通過を阻止しない程度の間隔で、受け環や連結片の数を増減することができ、押さえ環１３とシンク面との間隙Ｇも異物が挟み込む程度の範囲内で調整することができる。
【０００８】
異物流入防止具１０の保持環１１を厨芥排出口２の内側に嵌合させると、連結片１４の保持環外側の部分Ａが厨芥排出口２周辺のシンク面に当たって支持され、受け環１２を厨芥排出口２の開口内に配置させ、押さえ環１３を厨芥排出口２の外周にシンク上面から間隙Ｇで浮かせた状態に設置させる。
この状態で厨芥や残飯が水とともにシンク面上を流されてくると、野菜くずなどの軽い厨芥は、押さえ環１３を越えて保持環１１と受け環１２の間、および受け環１２の内側から厨芥排出口２内に落ちてディスポーザに流れ込む。また押さえ環１３の下から前記間隙Ｇを通った小さい厨芥も保持環１１を越えて厨芥排出口２に流れ込む。
この厨芥や残飯の中に箸やスプーン、フォーク、皿、紙、ビニールなどの異物が混入して流されると、重くて薄いスプーンなどの異物Ｂやシンク面に沿って運ばれる異物は、薄い端部たとえばスプーンの柄が押さえ環１３とシンク面との間隙Ｇに入り、間隙Ｇより大きい厚さの部分が押さえ環１３で押さえられて捕捉され、厨芥排出口２への流入を防止する。また、紙やビニールのシート状の異物は連結片１４に引っ掛かって止められる。
押さえ環１３を越えた箸のような長い異物は、先端部が受け環１２上にまたがって落下が防止され、スプーンのように膨らみのある異物では、膨らみが保持環１１と受け環１２の間にはまり込んで保持される。なお、箸のように軽い異物は流れ込んでくる厨芥によって後端部が持ち上げられ、先端部が受け環１２の内側から落下する場合があるが、受け環１２により厨芥排出口２内への侵入角度が小さくなるため、先端が厨芥排出口内で弾性仕切り板３外周の取付座４付近に当たって落下しないで保持される。このように異物流入防止具１０の上あるいは周縁に保持された異物は、人手によって取り除かれる。
【０００９】
なお、受け環１２および連結片１４によって、厨芥や残飯が異物流入防止具１０の上に目詰まり状態で溜まったときは、異物がないことを確認して把手１５を上下動させることにより厨芥を厨芥排出口２内に落とすことができる。
【００１０】
【発明の効果】
このように本発明は、ディスポーザをそなえ厨芥を処理するシンクの厨芥排出口に嵌合保持させる保持環と、前記保持環と同平面に設けた小径の受け環と、保持環より大径でシンク面との間に間隙を設けて配置させた押さえ環と、前記各環を同心に連結保持させる複数個の放射状の連結片からなる異物流入防止具に、連結片の上面に両方の脚を受け環を跨いで固着したコ字状部を有する把手をそなえているので、厨芥排出口への設置、取り外しを容易に行わせるとともに、把手により厨芥のディスポーザへの流れ込みを妨げることがなく、異物流入防止具の上面に厨芥が溜まった場合は、把手を握って上下に振動させて落下させ、厨芥の処理を効果的に行い得るなどの効果がある。
【図面の簡単な説明】
【図１】本発明の実施例を示す使用状態の側断面図である。
【図２】本発明の実施例を示す上面図で、図１のＸ−Ｘ線に沿う断面を示す。
【符号の説明】
１  シンク
２  厨芥排出口
３  弾性仕切り板
４  取付座
１０  異物流入防止具
１１  保持環
１２  受け環
１３  押さえ環
１４  連結片
１５  把手
１５ａ  コ字状部
１５ｂ  垂直部
【図１】
0003553739.tif 000002
【図２】
0003553739.tif 000003